(57)【特許請求の範囲】
【請求項１】
遊技球が入球可能な入球口と、遊技球が入球しないまたは入球しにくい第１位置と、前記第１位置よりも遊技球が入球しやすい第２位置と、に移動可能な開閉部材と、
前記開閉部材を開閉するための作動部を有する電気的駆動手段と、
前記作動部に連係して駆動力を前記開閉部材に伝達する伝達部材と、
前記開閉部材が前記第１位置にあるときに、前記開閉部材が前記第２位置へ移動することを規制する移動規制部と、
を備えた可変入球装置において、
前記伝達部材は、前記作動部の作動に連係して、所定の回転軸の回りに回動する第１係合部と、前記第１係合部と係合する、前記開閉部材側に設けた第２係合部と、を備え、
前記第１係合部又は第２係合部のいずれか一方に、前記回転軸の軸方向から見て全周囲を壁で囲まれた空間部を設け、他方に前記空間部内で係合する係合凸部を設け、
前記移動規制部は、前記空間部に設けられる第１規制部と、
前記係合凸部に設けられ、前記空間部内で前記第１規制部に当接し前記規制を行う第２規制部と、
を備え、
前記第１係合部の回動範囲は、
前記移動規制部によって前記開閉部材の第２位置への移動が規制されている状態における第１係合部の位置から、第１係合部の回動動作が開閉部材の移動を開始する位置までの初期回動範囲を含み、
前記第１係合部は前記回転軸の回りに遊嵌し、
前記係合凸部が凸面又は凹面を有し、前記第１係合部又は第２係合部のいずれか一方に前記凸面と当接する凹面、又は、前記凹面と当接する凸面を有し、前記初期回動範囲において、前記凸面が凹面に当接する状態から、前記係合凸部又は前記空間部のいずれか一方が他方に対して移動することを特徴とする可変入球装置。
【発明の詳細な説明】
【技術分野】
【０００１】
本発明は、遊技機に設けられる可変入球装置に関する。
【背景技術】
【０００２】
特許文献１は、ソレノイドを故障させることなく、開閉羽根を不正部材等により強制的に開放させて不正に遊技球を入賞させるといった不正行為を防止できる遊技機を提供するため、可変入賞装置は、ソレノイド５９の励磁の解除に基づくプランジャ５９ａの励磁解除動作に応じて、軸受長孔３１３の回動位置に位置する回動軸３２４を中心として伝達部材３２０が第１の方向に回転して開放姿勢から閉止姿勢となるとともに、該閉止姿勢の状態で回動軸３２４が回動位置から規制位置まで移動し、ソレノイド５９の励磁に基づくプランジャ５９ａの励磁動作に応じて、回動軸３２４が軸受長孔３１３の規制位置から回動位置まで移動し、該回動位置の回動軸３２４を中心として伝達部材３２０が第２の方向に回転して閉止姿勢から開放姿勢となるように構成され、回動軸３２４が規制位置に位置した状態において、伝達部材３２０の第２の方向への回転が回転規制部３１６により規制される。
【０００３】
特許文献２は、遊技媒体が通過領域を通過し難い第２状態において通過領域へ遊技媒体が不正に通過されることを防止するため、遊技領域を流下する遊技媒体が通過領域としての大入賞口７Ａを通過し易い第１状態と該第１状態よりも通過し難い第２状態とに変化可能な特別可変入賞球装置７は、遊技領域１０を流下する遊技球を大入賞口７Ａに向けて誘導する誘導部材としての誘導板３００と、誘導板３００を、第２位置において遊技領域１０に突出させ、第２状態において該遊技領域１０から退避させるソレノイド５、連結部材３３４、リンク部材３２２、連結軸３３７を有する作動部４，ソレノイド５と、第２状態であるときに遊技球が大入賞口７Ａを通過することを規制する規制部としての突出部３５１と、を備える。
【先行技術文献】
【特許文献】
【０００４】
【特許文献１】特開2008-272121号公報
【特許文献２】特開2015-77235号公報
【発明の開示】
【発明が解決しようとする課題】
【０００５】
しかしながら、開閉部材（羽根、誘導板等）を閉鎖姿勢にて規制する規制状態から開放状態に変化させる場合、及び、開閉部材を開放状態から規制状態に変化させる場合に、開放状態と規制状態の遷移に用いるリンク機構、及び、閉鎖位置において作動する規制部材が用いられている。この規制部材は、複数段階の相違する動作（例えば、スライドと回動の２段階の動作）を必要とするため、構造も複雑化し、部品点数も増えてしまった。
【０００６】
本発明は、上記現状に鑑み、可変入球装置の開閉部材の規制部材の構造を簡素化することを目的とする。
【課題を解決するための手段】
【０００７】
上記目的を達成するため、本発明の可変入球装置は、
遊技球が入球可能な入球口と、遊技球が入球しないまたは入球しにくい第１位置と、前記第１位置よりも遊技球が入球しやすい第２位置と、に移動可能な開閉部材と、
前記開閉部材を開閉するための作動部を有する電気的駆動手段と、
前記作動部に連係して駆動力を前記開閉部材に伝達する伝達部材と、
前記開閉部材が前記第１位置にあるときに、前記開閉部材が前記第２位置へ移動することを規制する移動規制部と、
を備えた可変入球装置において、
前記伝達部材は、前記作動部の作動に連係して、所定の回転軸の回りに回動する第１係合部と、前記第１係合部と係合する、前記開閉部材側に設けた第２係合部と、を備え、
前記第１係合部又は第２係合部のいずれか一方に、前記回転軸の軸方向から見て全周囲を壁で囲まれた空間部を設け、他方に前記空間部内で係合する係合凸部を設け、前記移動規制部は、前記空間部に設けられる第１規制部と、
前記係合凸部に設けられ、前記空間部内で前記第１規制部に当接し前記規制を行う第２規制部と、
を備えたことを特徴とする。
【０００８】
この本発明の可変入球装置では、第１規制部と第２規制部とによる開閉部材の規制を行うことにより、規制に係る機構構造が簡素化できる。
【０００９】
また本発明の可変入球装置は、さらに、
第１係合部の回動範囲は、
前記移動規制部によって前記開閉部材の第２位置への移動が規制されている状態における第１係合部の位置から、第１係合部の回動動作が開閉部材の移動を開始する位置までの初期回動範囲を含み、
前記第１係合部は前記回転軸の回りに遊嵌し、
前記係合凸部が凸面又は凹面を有し、前記第１係合部又は第２係合部のいずれか一方に前記凸面と当接する凹面、又は、前記凹面と当接する凸面を有し、前記初期回動範囲において、前記凸面が凹面に当接する状態から、前記係合凸部又は前記空間部のいずれか一方が他方に対して移動することを特徴とする。
【００１０】
この本発明の可変入球装置では、初期回動範囲において第２係合部がその位置を維持し、また第１係合部の回動範囲において規制を解除できるので、規制に係る機構構造が簡素化できる。
【００１２】
この本発明の可変入球装置では、凸面と凹面の簡単な当接により規制を実施することができるので、規制に係る機構構造が簡素化できる。
【００１３】
開閉部材は、いわゆる電動チューリップの両羽根部材、片羽根部材、扉式アタッカー、舌状部材等を含む。開閉部材を開閉するための作動部は、プランジャ、付勢部材を有するソレノイドが好ましいが、その構成は、限定されるわけではない。
【００１４】
前記空間部は、第１係合部または第２係合部のいずれかの領域に設けられる貫通孔、溝、凹み等の内部空間をいう。空間部は開口を有し、密閉された空間部は除外する。前記空間部は所定の壁で形成されることが好ましい。この所定の壁は、単数又は複数の面を備える。
【００１５】
第１係合部は長手方向と短手方向を有する棒状部材、回転盤等が例示される。
【００１６】
第２係合部は、凸部、又は、凹部が例示される。第２係合部は開閉部材の一部に一体的に設けることが好ましいが、開閉部材と第２係合部に運動機構、例えば、直線運動を回動運動に変換する機構を介在させてもよい。
【００１７】
係合凸部は、開閉部材または開閉部材に設けた部材の表面から部分的にでっぱる部分をいい、軸、ピン、リブ、突部等を含む。
【００１８】
前記所定の壁は、通常の辞義ではなく、第１係合部又は第２係合部の部材の空間部に接することができる面を有するものをいう。所定の壁の面は、平面、曲面のいずれでもよく、また、面の数は単数又は複数のいずれでもよく、具体例として、帯形状、コ字形状、丸形状、角形状等の種々の面が挙げられる。
【００１９】
当接は、第１規制部又は第２規制部のいずれか一方が、他方に突き当てた状態で接することをいう。
【００２０】
第１規制部又は第２規制部は、係合凸部に設ける凸面又は凹面、又は、所定の壁に設ける凹面又は凸面のいずれか１つが例示される。例えば、前記第１規制部が凸面を有し、前記第２規制部が前記凸面を受け入れる凹面を有し、前記第１位置において、前記凸面が凹面に当接し、前記初期回動範囲において、凸面又は凹面のいずれか一方が他方に対して非当接状態で移動する。開閉部材が開閉扉である場合、凸面は開閉部材の第２位置から第１位置に向かう運動方向に突出し、凹面は空間部を介して凸面に対向して配置されることが好ましい。開閉部材が羽根である場合、羽根の駆動軸の上下運動と、凸面又は凹面の向きとを連係させる構成が好ましい。
【００２１】
空間部における係合凸部の可動域を変更すると、初期回動範囲を変更できる。
【００２２】
凸面には山形、放物線状凸部、ピン状凸部等、第２規制部の凹面には切欠、凹溝、陥没穴、窪み等が例示される。凸面と凹面は、平面、曲面いずれか、又は、それらの組み合わせで構成されてもよい。
【００２３】
以上の凹凸の配置を逆にして、前記第１規制部が凹面を有し、前記第２規制部が前記凹面に向かって突出する凸面を有し、前記第１位置において、前記凸面が凹面に当接し、前記初期回動範囲において、前記第１係合部が非当接状態で遊動することとしてもよい。
【発明の効果】
【００２４】
本発明によれば、伝達部材と移動規制部を簡素化することができる。
【図面の簡単な説明】
【００２５】
【図１】本発明実施形態のアタッカーの分解斜視図である。
【図２】本発明実施形態のアタッカーのシャッターの正面図である。
【図３】本発明実施形態のアタッカーのベース板の背面斜視図である。
【図４】本発明実施形態のアタッカーの第１係合部の正面図である。
【図５】同じく背面図である。
【図６】本発明実施形態のアタッカーの第１位置での表カバーを縦断面で示す内部図である。
【図７】図６の第１係合部と第２係合部の部分拡大正面図である。
【図８】本発明実施形態のアタッカーの第１係合部の初期回動範囲の終点を示す正面図である。
【図９】図８の第１係合部と第２係合部の部分拡大正面図である。
【図１０】本発明実施形態のアタッカーの第２位置での表カバーを縦断面で示す内部図である。
【図１１】本発明実施形態のアタッカーの第１係合部の変更形態を示す部分拡大正面図である。
【図１２】本発明実施形態のアタッカーの第１係合部及び第２係合部の変更形態を示す部分拡大正面図である。
【発明を実施するための形態】
【００２６】
本発明実施形態の可変入球装置の具体例であるアタッカー１について図面を参照して説明する。このアタッカー１は、遊技球が入球可能な入球口２と、遊技球が入球しない第１位置と、第１位置よりも遊技球が入球しやすい第２位置とに移動可能なシャッター３と、シャッター３を開閉するための作動部４を有するソレノイド５と、作動部４に連係して駆動力をシャッター３に伝達する伝達部材６と、シャッター３が第１位置にあるときに、シャッター３が第２位置へ移動することを規制する移動規制部７と、を備えている。
【００２７】
伝達部材６は、作動部４の作動に連係して、所定の回転軸８を中心軸として回動する第１係合部９と、第１係合部９と係合する、シャッター３側に設けた第２係合部１０と、を備えている。
【００２８】
第１係合部９に軸受、第２係合部１０に軸を設けて係合を構成する。軸受がその内側領域に所定形状（図示例では略リング形状）の壁を有し、内壁面（図示例では帯面）に接する３次元空間部９２を有し、３次元空間部９２での軸の占有体積が３次元空間の体積よりも小さく設定され、軸が３次元空間部内を移動可能となるように配置する。
【００２９】
移動規制部７は、軸受である第１係合部９の３次元空間部９２に突出して設けられ３次元空間部９２の輪郭の一部を画定する第１規制部７１と、軸である第２係合部１０に設けられ、シャッター３が第１位置にあるときに、３次元空間９２部内で第１規制部７１に当接し規制を行う第２規制部７６と、を備えている。第２規制部７６の全部または一部が３次元空間部９２に内包される。
【００３０】
ソレノイド５が作動部４を作動させ第１係合部９を回動させる範囲のうち、初期回動範囲は、移動規制部７によってシャッター３の第２位置への移動が規制されている状態における第１係合部９の位置から（図６の状態）、第１係合部９の回動動作がシャッター３の移動を開始する位置まで（図８の状態）の範囲である。シャッター３の第１位置には図６ないし図８の位置も含む。この初期回動範囲において、第２係合部１０がその位置を維持した状態で、第１係合部９が回動することにより、当接が解除される構造である。アタッカー１はベース板１１と、ベース板１１の表側に取り付けられる表カバ−１２と、ベース板１１の裏側に取り付けられる裏カバ−１３と、を備えている。図中、Ｘ軸はベース板１１の水平方向（幅方向）、Ｙ軸はＸ軸と直交しベース板１１の主面の法線方向（厚み方向）、Ｚ軸はベース板１１の垂直方向（高さ方向）である。以下、各構成を詳細に説明する。
【００３１】
アタッカー１はパチンコ遊技機のいわゆる大入賞装置である。
【００３２】
入球口２は遊技球が通過可能な通過領域を構成するものであり、上方からの遊技球を受け入れるように、単数又は複数（ここでは２個）が形成され、図６に示す通り、表カバー１２の裏側内部空間に形成されている。シャッター３が第２位置にあるとき、入球口２から入球した遊技球は通過口を有するカウントスイッチ１４を通過し、入賞数が計数され、ベース板１１に設けた誘導路１１０、裏カバー１３に設けた誘導路１３０を通過し排出される。カウントスイッチ１４はベース板１１の縦スリット１１１から表側カバー１２の内部に突出し、ベース板１１に固定される。ベース板１１、表カバー１２、裏カバー１３は所定形状の合成樹脂板であり、組立体を構成する。
【００３３】
シャッター３は、Ｌ字形状のベース３０と、ベース３０から上方に延び出す垂直板３１と、第１位置で入球口２を閉鎖する複数枚（ここでは２枚）の所定間隙を設けて並置され表側に延び出す水平板をなす被覆板３２，３３と、垂直板３１から上部に延び出す凸部３４と、ベース３０から下方に突出する垂直板３５と、垂直板３５からＹ軸方向に延び出す横板３６と、を備え、正面視で左下側（第１位置側）に第２係合部１０を固設してある。シャッター３は、ＸＺ平面において、左方向（Ｘ１方向）又は右方向（Ｘ２方向）にスライドする。シャッター３は水平に配設されており、その長手方向が、プランジャ４１の駆動軸、横スリット１１２，１１３と平行である。シャッター３は上下（Ｚ方向）、及び、前後方向（Ｙ方向）には運動しないように規制されている。
【００３４】
被覆板３２，３３はそれぞれ横スリット１１２，１１３を貫通しＸ軸方向に横スリット１１２，１１３内を摺動するとともに、表カバー１２の内部に突出した状態で水平方向（Ｘ軸方向）に往復動する。シャッター３の被覆板３２，３３以外の構造は、ベース板１１と裏カバー１３の間の空間に収容され、Ｘ軸方向に移動可能に配置される。裏カバー１３の内側側面にガイド部１３１が形成され、シャッターの垂直板３１および凸部３４の背面と摺接し、案内する。ベース板１１の背面に被覆板３２，３３の上面を案内するガイド１１４と、垂直板３５の正面側および横板３６を案内するガイド１１５とを設け、Ｘ１、Ｘ２方向への摺動を確保している。
【００３５】
シャッター３が第２位置からＸ１方向に移動すると、第１位置で、被覆板３２，３３が入球口２を閉鎖するように構成されている。
【００３６】
一方、シャッター３が第１位置からＸ2方向に移動すると、第２位置で、被覆板３２，３３が入球口２を開放するように構成されている。第２位置では被覆板３２，３３が、それぞれ表カバー１２の収容部１２１、１２２に退避できるように構成され、ガタツキを抑えている。
【００３７】
作動部４は、プランジャヘッド４０と、プランジャヘッド４０と嵌合しソレノイド５に向かって配置されるプランジャ４１と、プランジャ４１に挿入されるコイルばね４２とワッシャ４３と、を備えている。プランジャヘッド４０の遊技領域側に、Ｙ方向に形成された溝４４がＺ方向に設けてある。
【００３８】
作動部４とソレノイド５はベース板１１と裏カバー１３の間に収容され、裏カバー１３の収容部１３２に設置され、ソレノイド５が収容部１３２に固定される。ソレノイド５は、プランジャヘッド４０を左方向（Ｍ１方向）に向けた状態（第１位置側に向けた状態）で、プランジャ４１を右方向（Ｍ２方向）に駆動させるように配設されている。Ｍ１Ｍ２はプランジャ４１の中心を通る軸で、Ｘ軸に平行である。
【００３９】
第１規制部７１が、略リング形状の壁の内壁面に凸面７２を有し、第２規制部７６が凸面７２を受け入れる凹面７７を有し、第１位置において、凸面７２が凹面７７に当接し、初期回動範囲において、第１係合部９が非当接状態で遊動する構造である。凸面７２は、その形状、大きさ、及び位置が凹面７７に適合するように定められている。
【００４０】
図３に示す通り、回転軸８はベース板１１の裏側の下部領域に固設されたピンである。
【００４１】
図４、５に示す通り、第１係合部９はリンク形状の部材であり、回転軸８を中心軸として、ＸＺ平面で、揺動自在に回動するものである。第１位置では、第１係合部９は左上方斜め方向に傾斜して配置され、第２位置では右上方斜め方向に配置され、下端部にＹ軸方向に円形の貫通孔９０を設けた円環部９１と、上端部にＹ軸方向に３次元空間部９２を設けた円環部９３と、円環部９１と円環部９３を連結する軸部９４を備えている。
【００４２】
貫通孔９０に回転軸８が回動可能に遊嵌し、第１係合部９は、ＸＺ平面において、回転軸８の回りに反時計方向Ｒ１と時計方向Ｒ２に回動する。３次元空間部９２は第１係合部９の軸方向Ｆに略楕円又は小判形状に形成され、第２位置側の３次元空間部９２に第１規制部７１が突出している。第１係合部９の裏カバー１３側にピン９５が突出形成され、プランジャヘッド４０の溝４４内を縦方向に摺動する。３次元空間部９２を画定する壁の内壁面のうち、第１位置側に摺動面９６が形成される。凸面７２と凹面７７の形状、大きさ、又は位置を変更することにより、３次元空間部９２における第２規制部１０の可動域を変更すると、初期回動範囲を変更でき、規制の解除時間の幅を自由に定めることが容易になる。摺動面９６は空間部９２を介して凹面７２と対面する位置に設けられる（図４参照）。摺動面９６は空間部９２を介して凸面７２と対面する位置に設けられる摺動面１０１と対面する位置に設けられる（図７、図９参照）。
【００４３】
図７に示す通り、第１位置において第１規制部７１と第２規制部７６とが当接している。この状態で不正にシャッター３の被覆板３２，３３を開こうとして、被覆板３２，３３に対して、第１位置から第２位置へ動かそうとする外力を加えても、第１規制部７１が第２規制部７６と当接しているため、第１係合部９の回動が阻止され、シャッター３がロックされる。
【００４４】
図７に示す通り、第２係合部１０の３次元空間部９２内での占有体積は、３次元空間部９２の体積よりも小さく設定され、３次元空間部９２に対する第２係合部１０の体積比率４０％〜６０％が例示される。第１規制部７１の凸面７２は、軸方向Ｆを基準とする場合、水平面と、該水平面と直交する垂直面から構成され、第２規制部７６の凹面７７は、凸面７２と当接するべく、対応する水平面と、該水平面と直交する垂直面とを備えている。ＸＺ平面を基準とする場合、水平面は左下側に向かって傾斜して配置され、垂直面は右下側に向かって傾斜して配置されている。第１規制部７１の２次元の大きさは、３次元空間部９２の高さの３０〜６０％の高さ、３次元空間部９２の横幅の１０〜４０％の横幅が例示され、３次元空間部９２の第２位置よりの右側領域の下部の部位に形成される。図７において、第２係合部１０の中心が３次元空間部９２の中心から右上に偏心しているので、第２係合部１０の左側に所定の空隙が形成される。
【００４５】
次にアタッカー１の動作を説明する。図６に示す通り、アタッカー１が第１位置のときには、ソレノイド５が励磁されておらず、プランジャ４１に環装されたコイルばね４２の付勢力によりプランジャ４１が突出する状態となる。溝４４の下方の位置にピン９５が遊嵌し、第１係合部９が左斜め上方に傾斜した状態で配置される。第１規制部７１と第２規制部７６とが当接し、シャッター３がロックされるので、不正行為を防止できる。このとき被覆板３２，３３で入球口２は閉鎖される。
【００４６】
図６に示す通り、アタッカー１が第１位置のときに、所定遊技条件の成立に伴い、ソレノイド５が励磁されると、プランジャ４１に挿入されたコイルばね４２の付勢力に抗してプランジャ４１が右方向（Ｍ２方向）に移動すると、溝４４の右方向（Ｍ２方向）の水平移動にともない、下方の位置にあったピン９５が回動し溝４４内を上方に移動することで、第１係合部９がＲ２方向に回動し始める。これにより、図８、図９に示す通り、第２規制部７６を有する第２係合部１０が動かない状態、すなわちシャッター３の移動を開始させない状態を維持したままで、第１規制部７１と第２規制部７６との当接が解除される。
【００４７】
図８、図９に示す通り、第１係合部９が初期回動範囲の終点を脱すると、第２係合部１０の中心が３次元空間部９２の中心から左上に偏心するので、第２係合部１０の右側に空隙が設けられる。第２位置に至るまでの期間、第１係合部９のＲ２方向への回動に伴い、第２係合部１０の第２規制部７６が設けられた部位とは反対面側に設けられ摺動面１０１が、その摺動位置を変えながら、第１係合部９の摺動面９６に押されることにより、第２係合部１０を有するシャッター３がＸ２方向にスライドし、図１０に示す第２位置に至る。つまり、アタッカー１がいわゆる閉鎖状態にあるとき、開放状態にしようと被覆板３２、３３にＸ２方向の力を加えても、移動規制部７の作用により、シャッター３はロックされてスライドしないが、第１係合部９を回動させると、ロックが解除されてスライドする構造となっている。第２位置ではソレノイド５の励磁が継続される。
【００４８】
所定遊技条件の終了にともない、アタッカー１がいわゆる開放状態から閉鎖状態に変化する場合には、ソレノイド５が消磁され、上記動作とは逆の動作となるので、説明は上記を援用する。
【００４９】
以上説明した通り、本実施形態のアタッカー１は、遊技領域を流下する遊技球に対し、第１位置で入球口２を閉鎖し、第２位置で開放するシャッター３を備え、伝達部材６と移動規制部７の形状、或いは構造を簡素化することにより、アタッカー１の小型化を達成することができる。
【００５０】
本実施形態のアタッカー１による規制と規制解除は、単に１方向に第１係合部９を回動する動作で済み、特にその回動する動作における初期動作で解除できるので、第１規制部と第２規制部の当接を迅速に解除することができる。
【００５１】
本実施形態のアタッカー１は、３次元空間部９２に対して第１規制部７１と第２規制部７６が占める体積の割合が小さい（例えば４０〜６０％以下）。このように、規制部材の機構構造の簡素化によって、規制部材の機構構造の小型化も可能となる。この小型化も合わせて実施すれば、可変入球装置の設計の自由度が増すことにつながる。
【００５２】
第１規制部７１が第１係合部９と一体化され、第２規制部７６がシャッター３と一体化されているので、大幅なコスト低減が可能である。
【００５３】
移動規制部７が簡素な構造であるので、可変入球装置内の他の部材の動作への悪影響を回避できる。
【００５４】
本実施形態のアタッカー１は、第１規制部７１と第２規制部７６とが、アタッカー１がいわゆる開放状態及び閉鎖状態のいずれにあるときでも、ベース板１１の背面側に配置されているので、安定した駆動が可能である。
【００５５】
図１１は上記実施形態の第１係合部９の変更形態を示し、円環部９３の上部の一部が削除されて、開口９７、２つの自由端部９８，９９を備えた構造である。他の構成は上述の実施形態の説明を援用する。
【００５６】
図１２は上記実施形態の第１係合部９と第２係合部１０の変更形態を示し、第１規制部７１の凸面７２と第２規制部７６の凹面７７の凹凸を交換し配置し、初期回動範囲において、第１係合部９が非当接状態で遊動する構造としたものである。他の構成は上述の実施形態の説明を援用する。
【００５７】
なお、本発明は、上述の実施の形態に限定されるものではなく、本発明の技術的思想を逸脱しない範囲において、改変等を加えることが出来、それらの改変、均等物等も本発明の技術的範囲に含まれる。
【００５８】
本実施形態では、第１規制部７１の凸面７２と第２規制部７６の凹面７７は平面としたが、これを曲面、例えば、山形、放物線形等として構成することも可能である。
【００５９】
本実施形態では、第１係合部９に３次元空間部９２を設けたが、これを、第２係合部１０側に形成する凹溝又は穴としてもよい。
【００６０】
本実施形態では、第１係合部９は３次元空間部９２を有し、第２係合部１０は凸部であるが、図示は略すが、これらの配置を逆にして、第１係合部９は凸部を有し、第２係合部１０は凹溝としてもよい。
【００６１】
本実施形態では、アタッカーに適用した例を説明したが、可変入球装置であればあらゆるもので適応でき、普通可変入賞球装置、可変始動入賞口、一般入賞口、振分装置に設けられた普通可変入賞球装置、通過ゲート、賞球や図柄の変動表示を伴わない演出用の進入口などであってもよい。
【００６２】
シャッター３に代えて、開閉羽根（開閉片）を含むものであってもよく、左右いずれか一方、すなわち、単体の開閉羽根を開閉させる機構としてもよいし、あるいは３以上の開閉羽根を開閉させる機構としてもよい。
【００６３】
実施形態では、電気的駆動部の一例として作動部４、ソレノイド５が適用されたが、例えば電気的駆動部としてモータを適用し、モータの駆動軸の回転力をギヤ等を介してプランジャに伝達させるようにし、駆動軸を正逆回転させることにより、プランジャを動作させることも可能である。
【００６４】
その他、作動部４、ソレノイド５の位置及び向きは、適宜、設定可能である。第１係合部９、第２係合部１０、第１規制部７１、第２規制部７６の形状、又は、構造、例えば、寸法、位置、取付角度、回動方向、摺動方向、体積比率等は、適宜変更可能である。
【００６５】
実施例の主要な要素と課題を解決するための手段の欄に記載した発明の主要な要素との対応関係について説明する。実施例では、アタッカー１が「可変入球装置」に相当し、シャッター３が「開閉部材」に相当し、ソレノイド５が「電気的駆動手段」に相当し、３次元空間部９２が「空間部」に相当し、軸が「係合凸部」に相当する。なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行われるべきものであり、実施例は課題を解決するための手段の欄に記載した発明の具体的な一例に過ぎないものである。
【符号の説明】
【００６６】
１  アタッカー
２  入球口
３  シャッター
３０  ベース
３１，３５  垂直板
３２，３３  被覆板
３４  凸部
３６  横板
４  作動部
４０  プランジャヘッド
４１  プランジャ
４２  コイルばね
４３  ワッシャ
４４  溝
５  ソレノイド
６  伝達部材
７  移動規制部
７１  第１規制部
７２  凸面
７６  第２規制部
７７  凹面
８  回転軸
９  第１係合部
９０  貫通孔
９１  円環部
９２  ３次元空間部
９３  円環部
９４  軸部
９５  ピン
９６  摺動面
９７  開口
９８，９９  自由端部
１０  第２係合部
１０１  摺動面
１１  ベース板
１１０  誘導路
１１１  縦スリット
１１２，１１３  横スリット
１１４，１１５  ガイド
１２  表カバ−
１２１、１２２  収容部
１３  裏カバ−
１３０  誘導路
１３１  ガイド部
１３２  収容部
１４  カウントスイッチ
Ｒ１  反時計方向
Ｒ２  時計方向
Ｆ  軸方向
【図１】
0006536440.tif 000002
【図２】
0006536440.tif 000003
【図３】
0006536440.tif 000004
【図４】
0006536440.tif 000005
【図５】
0006536440.tif 000006
【図６】
0006536440.tif 000007
【図７】
0006536440.tif 000008
【図８】
0006536440.tif 000009
【図９】
0006536440.tif 000010
【図１０】
0006536440.tif 000011
【図１１】
0006536440.tif 000012
【図１２】
0006536440.tif 000013